(57)【特許請求の範囲】
【請求項１】
液体を循環させて温度を調節する空調設備に用いられる複数の蓄熱水槽であって、各蓄熱水槽は、
前記液体が蓄えられる水槽本体と、
前記水槽本体内に前記液体を流入させる流入孔と、
前記水槽本体から前記液体を流出させる流出孔と、
前記水槽本体内を前記流入孔側と前記流出孔側とに仕切る仕切部材と、
を有し、
前記仕切部材は、前記流入孔及び前記流出孔から進入して前記水槽本体内にて作業する作業者により着脱自在に設けられており、
各仕切部材は、仕切板が取り外し可能に取り付けられるフレームを有し、
前記フレームには、複数の仕切板を固定するための複数の固定孔が形成されており、
所定方向に沿って連設される複数の蓄熱水槽のうち、一方の端部側の蓄熱水槽に設けられる第１の前記仕切部材については、前記複数の固定孔のうち、上方の一部の固定孔を使用せず且つ残りの固定孔を使用して前記仕切板を前記フレームに固定することにより、前記仕切板の上方に、前記水槽本体内の前記流入孔側と前記流出孔側に繋がった領域を有し、
他方の端部側の蓄熱水槽に設けられる第２の前記仕切部材については、前記複数の固定孔のうち、下方の一部の固定孔を使用せず且つ残りの固定孔を使用して前記仕切板を前記フレームに固定することにより、前記仕切板の下方に、前記水槽本体内の前記流入孔側と前記流出孔側に繋がった領域を有することを特徴とする蓄熱水槽。
【請求項２】
請求項１に記載の複数の蓄熱水槽が連結されて、各々の前記蓄熱水槽内が連通されていることを特徴とする連設蓄熱水槽。
【発明の詳細な説明】
【技術分野】
【０００１】
本発明は、液体を循環させて温度を調節する空調設備に用いられる蓄熱水槽及び連設蓄熱水槽に関する。
【背景技術】
【０００２】
液体を循環させて温度を調節する空調設備に用いられる蓄熱水槽及び連設蓄熱水槽としては、ビルや地域冷暖房用の蓄熱式空調システムに用いられ、多数の地中梁で区切られた水槽で構成される連通孔方式の蓄熱水槽が知られている（例えば、特許文献１参照）。このような蓄熱水槽は、地中梁で区切られた複数の水槽が一体に設けられており、隣接する水槽間の地中梁の底部付近に連通孔が設けられ、連通孔の上流側に水槽の底部から立設させた仕切板が設けられている。仕切板は、各水槽における下流側の地中梁側に偏らせて設けられ流とともに水面の高さより低く形成されており、仕切板の上部では上流側と下流側とが繋がっている。
【先行技術文献】
【特許文献】
【０００３】
【特許文献１】実開平５−１０９２２号公報
【発明の概要】
【発明が解決しようとする課題】
【０００４】
上記の蓄熱水槽は、蓄熱水槽内が仕切板により仕切られているため、例えばメンテナンス等の蓄熱水槽の内部にて作業をする場合に、蓄熱水槽内を自由に移動して作業をすることができず、作業性が悪いという課題ある。
【０００５】
本発明は、かかる課題に鑑みてなされたものであり、その目的とするところは、蓄熱水槽内の作業における作業性に優れた蓄熱水槽及び連設蓄熱水槽を提供することにある。
【課題を解決するための手段】
【０００６】
かかる目的を達成するために本発明の蓄熱水槽は、液体を循環させて温度を調節する空調設備に用いられる複数の蓄熱水槽であって、各蓄熱水槽は、
前記液体が蓄えられる水槽本体と、
前記水槽本体内に前記液体を流入させる流入孔と、
前記水槽本体から前記液体を流出させる流出孔と、
前記水槽本体内を前記流入孔側と前記流出孔側とに仕切る仕切部材と、
を有し、
前記仕切部材は、前記流入孔及び前記流出孔から進入して前記水槽本体内にて作業する作業者により着脱自在に設けられており、
各仕切部材は、仕切板が取り外し可能に取り付けられるフレームを有し、
前記フレームには、複数の仕切板を固定するための複数の固定孔が形成されており、
所定方向に沿って連設される複数の蓄熱水槽のうち、一方の端部側の蓄熱水槽に設けられる第１の前記仕切部材については、前記複数の固定孔のうち、上方の一部の固定孔を使用せず且つ残りの固定孔を使用して前記仕切板を前記フレームに固定することにより、前記仕切板の上方に、前記水槽本体内の前記流入孔側と前記流出孔側に繋がった領域を有し、
他方の端部側の蓄熱水槽に設けられる第２の前記仕切部材については、前記複数の固定孔のうち、下方の一部の固定孔を使用せず且つ残りの固定孔を使用して前記仕切板を前記フレームに固定することにより、前記仕切板の下方に、前記水槽本体内の前記流入孔側と前記流出孔側に繋がった領域を有することを特徴とする蓄熱水槽である。
【００１０】
また、上記複数の蓄熱水槽が連結されて、各々の前記蓄熱水槽内が連通されていることを特徴とする連設蓄熱水槽である。
【発明の効果】
【００１１】
本発明によれば、蓄熱水槽内の作業における作業性に優れた蓄熱水槽及び連設蓄熱水槽を提供することが可能である。
【図面の簡単な説明】
【００１２】
【図１】本発明に係る蓄熱水槽及び連設蓄熱水槽の断面模式図である。
【図２】連設蓄熱水槽が有する第１蓄熱水槽の模式図である。
【図３】連設蓄熱水槽が有する第２蓄熱水槽の模式図である。
【図４】連設蓄熱水槽が有する中継用蓄熱水槽の模式図である。
【図５】第２蓄熱水槽の蓋部材に設けられた仕切部材を説明するための斜視図である。
【図６】第１蓄熱水槽の収容部内に設けられる仕切部材を示す図である。
【図７】第２蓄熱水槽の収容部内に設けられる仕切部材を示す図である。
【発明を実施するための形態】
【００１３】
以下、本発明の一実施形態について図面を用いて詳細に説明する。  
図１は、本発明に係る連設蓄熱水槽の断面模式図である。図２は、連設蓄熱水槽が有する第１蓄熱水槽の模式図である。図３は、連設蓄熱水槽が有する第２蓄熱水槽の模式図である。図４は、連設蓄熱水槽が有する中継用蓄熱水槽の模式図である。図５は、第２蓄熱水槽の蓋部材に設けられた仕切部材を説明するための斜視図である
本実施形態の連設蓄熱水槽は、例えばビルの空調装置に用いられる連設蓄熱水槽であり、当該ビルの地下に埋設されるとともにビル内に設けられて、液体としての水が循環される流水管と連結されて地中内の流路をなしている。すなわち、地上の流水管と地下の連設蓄熱水槽とが環状に連結されて、空調装置に用いられる水が循環するように構成されている。
【００１４】
図１に示すように、連設蓄熱水槽１は、複数の蓄熱水槽１０が所定方向に沿って、例えば１００基連設されている。連設蓄熱水槽１の、所定方向における一方の端部側（図１では左端側）には、蓄熱水槽１０内の水より高い温度の水が流入される場合に、流入される水と蓄えられていた水とが効率良く置換される第１蓄熱水槽２０が１０基連設されている。
【００１５】
また、連設蓄熱水槽１の、所定方向における他方の端部側（図１では右端側）には、蓄熱水槽１０内の水より低い温度の水が流入される場合に、流入される水と蓄えられていた水とが効率良く置換される第２蓄熱水槽３０が１０基連設されており、１０基の第１蓄熱水槽２０と１０基の第２蓄熱水槽３０との間には８０基の中継用蓄熱水槽４０とが連結されている。
【００１６】
第１蓄熱水槽２０、第２蓄熱水槽３０、中継用蓄熱水槽４０は、ほぼ同じ容積を有するコンクリート製の水槽であり、内側は防水処理が施されている。また、各蓄熱水槽１０には、例えば図５に示す第２蓄熱水槽３０のように上部を覆い取り外し可能な蓋部材１８が設けられている。ここで、蓄熱水槽１０の蓋部材１８と仕切部材５０とを除く部分が水槽本体１１に相当する。すなわち、水槽本体１１は、後述する、底２１、３１、一対の短辺側壁２２、３２、一対の長辺側壁２３、３３にて形成されている。
【００１７】
本実施形態においては、図１において、左端側に第１蓄熱水槽２０が１０基配置され、右端側に第２蓄熱水槽３０が１０基配置され、それらの間に中継用蓄熱水槽４０が配置されている。このため、連設蓄熱水槽１内に第２蓄熱水槽３０内の水より低い温度の水を流入させて蓄える場合には、水は連設蓄熱水槽１内を右から左に向かって循環され、連設蓄熱水槽１内に第１蓄熱水槽２０の水より高い温度の水を流入させて蓄える場合には、水は連設蓄熱水槽１内を左から右に向かって循環される。すなわち、本連設蓄熱水槽１は、水が所定方向に沿って双方向のいずれにも流れるように、循環する方向を変更することが可能である。
【００１８】
第１蓄熱水槽２０は、図２に示すように、底２１が長方形状をなし、２対の対向する側壁２２、２３にて、ほぼ直方体状の収容空間が形成されている。２対の対向する側壁２２、２３のうちの一方の対をなす側壁２２は、底２１の長方形における短辺側の側壁（以下、短辺側壁という）２２であり、他方の対をなす側壁は、底２１の長方形における長辺側の側壁（以下、長辺側壁という）２３であり、短辺側壁２２、長辺側壁２３、底２１にて囲まれた空間が水の収容部２０ａをなしている。
【００１９】
対向する２つの短辺側壁２２には、短辺側壁２２の幅方向における中央であって、上下方向の下部に、隣接して設けられる蓄熱水槽１０と連結される孔部２４がそれぞれ設けられている。より具体的には、孔部２４は底２１と孔部２４の最下部とが繋がるように形成されている。対向する短辺側壁２２のうち一方の短辺側壁２２ａに設けられた孔部２４は、連設蓄熱水槽１内を水が第１蓄熱水槽２０側から第２蓄熱水槽３０側へ流れるように循環する際に、当該蓄熱水槽１０に流入させる第１下部孔２４ａであり、他方の短辺側壁２２ｂに設けられた孔部２４は、連設蓄熱水槽１が使用される際に、当該蓄熱水槽１０内に蓄えられていた水を流出させる第２下部孔２４ｂである。第１蓄熱水槽２０には、蓄熱水槽１０内の水より高い温度の水が第１下部孔２４ａから流入されることが望ましいが、前述したように、本連設蓄熱水槽１は、水が所定方向に沿って双方向のいずれにも流れるように構成されているので、第１下部孔２４ａ及び第２下部孔２４ｂのいずれもが流入孔にも流出孔にもなる場合があり、一方が流入孔であれば他方が流出孔となる。
【００２０】
これら、第１下部孔２４ａと第２下部孔２４ｂは、内径が１ｍより大きく形成されており、連設蓄熱水槽１のメンテナンスの際には、作業者が第１下部孔２４ａと第２下部孔２４ｂとにて隣接する蓄熱水槽１０との間を行き来できるように形成されている。
【００２１】
収容部２０ａ内の底２１には、第１下部孔２４ａと第２下部孔２４ｂとの他に、直径約１０ｃｍの排水孔２５が設けられており、メンテナンス等にて内部の水を抜く際に使用される。このため、通常使用時には栓にて塞がれている。
【００２２】
図６は、第１蓄熱水槽の収容部内に設けられる仕切部材を示す図である。  
第１蓄熱水槽２０の収容部２０ａ内には、第１下部孔２４ａが設けられた短辺側壁２２ａ側に偏らせて、当該短辺側壁２２ａと対面する仕切壁部５１を有する仕切部材５０が配置されている。仕切部材５０は、第１下部孔２４ａが設けられた短辺側壁２２ａと間隔を隔てて対面する複数の仕切壁部５１と、仕切壁部５１の幅方向の端部にて仕切壁部５１と、第１下部孔２４ａが設けられた短辺側壁２２ａとの間に設けられる仕切側部５２とを有している。そして、仕切部材５０は、上方から見た際に「コ」字状をなしており、第１蓄熱水槽２０内の下側を、「コ」字状をなす仕切部材５０の内側となる第１下部孔２４ａ側と、外側となる第２下部孔２４ｂ側とに仕切るように構成されている。
【００２３】
仕切部材５０は、蓋部材１８の下面１８ａから垂設された一対のフレーム５３に仕切壁部５１と、仕切側部５２とが取り付けられて構成されている。  
仕切壁部５１と、仕切側部５２とは、例えば樹脂製でなる板状の仕切板としてのパネル体５１ａ、５２ａであり、複数のパネル体５１ａ、５２ａが上下方向に並べて配置されるとともに、ボルト５５によりフレーム５３に着脱自在に固定されて構成されている。
【００２４】
対をなすフレーム５３の各々は、同一の部材であり、短辺側壁２２ａに設けられた第１下部孔２４ａと対向する位置に配置される。フレーム５３は、金属製の角パイプにて形成され、２本の柱部材５３ａと、２本の柱部材５３ａの間に架け渡されて固定された２本の横材５３ｂと、柱部材５３ａの上端部に固定された平板状の座板５３ｃとを有している。
【００２５】
２本の柱部材５３ａの上端側と下端とに横材５３ｂが固定され、柱部材５３ａは上側の横材５３ｂより上方に突出している。また、２本の柱部材５３ａ間には、下端側から並べて３枚のパネル体５２ａが取り付けられて仕切側部５２が形成され、仕切側部５２より上方に柱部材５３ａが突出している。
【００２６】
柱部材５３ａ上端に固定された座板５３ｃは、柱部材５３ａの断面積より十分広い面積を有し、柱部材５３ａより外側に広がり、複数の孔部５３ｄを有している。
【００２７】
柱部材５３ａには、横材５３ｂが設けられている方向に柱部材５３ａを貫通する複数の固定孔５３ｅが設けられている。本実施形態では、１枚のパネル体５１ａと一方のフレームとを２本のボルト５５にて固定するため、４枚の仕切壁部５１が固定できるように８つの固定孔５３ｅが設けられている。そして、第１蓄熱水槽２０に設けられる仕切部材５０には、下側から６つの固定孔５３ｅを使用して３枚のパネル体５１ａが固定されて仕切壁部５１が形成されている。
【００２８】
フレーム５３にパネル体５１ａ、５２ａが取り付けられて形成された仕切部材５０は、座板５３ｃが蓋部材１８の下面１８ａに当接されてボルト５５にて固定されている。
【００２９】
そして、第１蓄熱水槽２０が、仕切部材５０が取り付けられた蓋部材１８にて覆われた際に、仕切部材５０が収容部２０ａ内に配置される。仕切壁部５１と仕切側部５２とは、収容部２０ａの底２１から、水面より低い位置まで、すなわち、収容部２０ａの下側に設けられている。このため、仕切壁部５１と仕切側部５２の上は仕切られておらず、水が自由に移動できるように繋がっている。
【００３０】
１０基の第１蓄熱水槽２０は、図１に示すように、所定方向に並べて配置され、隣接する２基の第１蓄熱水槽２０は、一方の第１蓄熱水槽２０の第２下部孔２４ｂと他方の第１蓄熱水槽２０の第１下部孔２４ａとが連結されて一方の第１蓄熱水槽２０の収容部２０ａと他方の第１蓄熱水槽２０の収容部２０ａとが連通されている。連結された１０基の第１蓄熱水槽２０の端に配置され、連結されていない第１下部孔２４ａを有する第１蓄熱水槽２０の第１下部孔２４ａは、ビルに設けられた流水管と連結されている。また、連結された１０基の第１蓄熱水槽２０の端に配置され、連結されていない第２下部孔２４ｂを有する第１蓄熱水槽２０には、中継用蓄熱水槽４０が連結されている。
【００３１】
第２蓄熱水槽３０は、図３に示すように、底３１が長方形状をなし、２対の対向する側壁３２、３３にて、ほぼ直方体状の収容空間が形成されている。２対の対向する側壁３２、３３のうちの一方の対をなす側壁３２は、底３１の長方形における短辺側壁３２であり、他方の対をなす側壁３３は、底３１の長方形における長辺側壁３３であり、短辺側壁３２、長辺側壁３３、底３１にて囲まれた空間が水の収容部３０ａをなしている。
【００３２】
対向する２つの短辺側壁３２には、短辺側壁３２の幅方向における中央であって、上下方向の上部に、隣接して設けられる蓄熱水槽１０と連結される孔部３４がそれぞれ設けられている。より具体的には、孔部２４は収容部３０ａに水が蓄えられた際に、孔部３４の最上部が水面近傍に位置するように形成されている。対向する短辺側壁３２のうち一方の短辺側壁３２ａに設けられた孔部３４は、連設蓄熱水槽１内を水が第２蓄熱水槽３０側から第１蓄熱水槽２０側へ流れるように循環する際に、当該蓄熱水槽１０に流入させる第２上部孔３４ａであり、他方の短辺側壁３２ｂに設けられた孔部３４は、連設蓄熱水槽１が使用される際に、当該蓄熱水槽１０内に蓄えられていた水を流出させる第１上部孔３４ｂである。第２蓄熱水槽３０には、蓄熱水槽１０内の水より低い温度の水が第２上部孔３４ｂから流入されることが望ましいが、前述したように、本連設蓄熱水槽１は、水が所定方向に沿って双方向のいずれにも流れるように構成されているので、第２上部孔３４ａ及び第１上部孔３４ｂのいずれもが流入孔にも流出孔にもなる場合があり、一方が流入孔であれば他方が流出孔となる。
【００３３】
これら、第２上部孔３４ａと第１上部孔３４ｂは、内径が１ｍより大きく形成されており、連設蓄熱水槽１のメンテナンスの際には、作業者が第２上部孔３４ａと第１上部孔３４ｂとにて隣接する蓄熱水槽１０との間を行き来できるように形成されている。
【００３４】
第２蓄熱水槽３０の収容部３０ａ内の底３１にも、メンテナンス等の際に使用される排水孔３５が設けられており、通常使用時には栓にて塞がれている。
【００３５】
図７は、第２蓄熱水槽の収容部内に設けられる仕切部材を示す図である。  
第２蓄熱水槽３０の収容部３０ａ内には、第２上部孔３４ａが設けられた短辺側壁３２ａ側に偏らせて、当該短辺側壁３２ａと対面する仕切壁部５１を有する仕切部材５０が配置されている。仕切部材５０は、第２上部孔３４ａが設けられた短辺側壁３２ａと間隔を隔てて対面する仕切壁部５１と、仕切壁部５１の幅方向の端部にて仕切壁部５１と、第２上部孔３４ａが設けられた短辺側壁３２ａとの間に設けられる仕切側部５２とを有している。そして、仕切部材５０は、第２蓄熱水槽３０の上側を、「コ」字状をなす仕切部材５０の内側となる第２上部孔３４ａ側と、外側となる第１上部孔３４ｂ側とに仕切るように構成されている。
【００３６】
第２蓄熱水槽３０内に設けられる仕切部材５０も、蓋部材１８の下面１８ａから垂設された一対のフレーム５３に仕切壁部５１と、仕切側部５２とが取り付けられて構成されている。そして、第２蓄熱水槽３０が、仕切部材５０が取り付けられた蓋部材１８にて覆われた際に、仕切部材５０が収容部３０ａ内に配置される。
【００３７】
第１蓄熱水槽２０内に設けられる仕切部材５０は、フレーム５３の下端側からパネル体５１ａ、５２ａが３枚ずつ取り付けられていたが、第２蓄熱水槽３０内に設けられる仕切部材５０は、フレーム５３の下端側の１枚が取り付けられず、上側の３枚ずつがボルト５５にてフレーム５３に取り付けられている。そして、仕切壁部５１と仕切側部５２とは、収容部３０ａの底３１と間隔を隔てた位置から水面より高い位置まで設けられている。すなわち、仕切壁部５１と仕切側部５２の下は仕切られておらず、水が自由に移動できるように繋がっている。
【００３８】
１０基の第２蓄熱水槽３０は、図１に示すように、所定方向に並べて配置され、隣接する２基の第２蓄熱水槽３０は、一方の第２蓄熱水槽３０の第１上部孔３４ｂと他方の第２蓄熱水槽３０の第２上部孔３４ａとが連結されて一方の第２蓄熱水槽３０の収容部３０ａと他方の第２蓄熱水槽３０の収容部３０ａとが連通されている。連結された１０基の第２蓄熱水槽３０の端に配置され、連結されていない第２上部孔３４ａを有する第２蓄熱水槽３０の第２上部孔３４ａに、ビルに設けられた流水管の、第１蓄熱水槽２０と連結されていない側の端部が連結されている。また、連結された１０基の第２蓄熱水槽３０の端に配置され、連結されていない第１上部孔３４ｂを有する第２蓄熱水槽３０には、中継用蓄熱水槽４０が連結されている。
【００３９】
中継用蓄熱水槽４０も、底４１が長方形状をなし、２対の対向する側壁４２、４３にて、ほぼ直方体状の収容空間が形成され、一対の短辺側壁４２、一対の長辺側壁４３、及び、底４１にて囲まれた空間が水の収容部４０ａをなしている。
【００４０】
対向する２つの短辺側壁４２には、短辺側壁４２の幅方向における中央であって、上下方向の中央に、隣接して設けられる蓄熱水槽１０と連結される孔部４４がそれぞれ設けられている。これらの孔部４４は、内径が１ｍより大きく形成されており、連設蓄熱水槽１のメンテナンスの際には、作業者が孔部４４にて隣接する蓄熱水槽１０との間を行き来できるように形成されている。ここで、中継用蓄熱水槽には、仕切部材が設けられていないので、本発明の蓄熱水槽には該当しない。
【００４１】
中継用蓄熱水槽４０の収容部４０ａ内の底４１にも、メンテナンス等の際に使用される排水孔４５が設けられており、通常使用時には栓にて塞がれている。
【００４２】
８０基の中継用蓄熱水槽４０は、所定方向に並べて配置され、隣接する２基の中継用蓄熱水槽４０は、互いに孔部４４同士が連結されている。連結された８０基の中継用蓄熱水槽４０の両端に配置された中継用蓄熱水槽４０の孔部４４には、一方に第１蓄熱水槽２０の第２下部孔２４ｂが連結され、他方に第２蓄熱水槽３０の第１上部孔３４ｂが連結されている。
【００４３】
そして、ビルに設けられた流水管、１０基の第１蓄熱水槽２０、８０基の中継用蓄熱水槽４０、１０基の第２蓄熱水槽３０、が連結されて水が循環される、空調装置用流路が形成されている。
【００４４】
空調装置用流路は、内部に水が蓄えられて使用される。このとき水位は、第１蓄熱水槽２０の仕切壁部５１と仕切側部５２の上端より十分に高い位置、また、第２蓄熱水槽３０の第２上部孔３４ａ及び第１上部孔３４ｂの上端近傍まで蓄えられている。
【００４５】
本連設蓄熱水槽１の使用例について、空調装置を冷房装置として使用する際を例に挙げて説明する。  
例えば、本実施形態の空調装置を冷房装置として使用する場合には、昼の間に連設蓄熱水槽１から流出された水が夜間のビル内にて、第２蓄熱水槽３０内の水より低い温度に冷やされる。冷やされた水を、連設蓄熱水槽１内を右から左に向かって水が流れるように循環させて、冷やされた水を連設蓄熱水槽１内に蓄える。  
このとき、第２蓄熱水槽３０の第２上部孔３４ａから第２蓄熱水槽３０内に冷やされた水が流入されると、水は仕切部材５０に囲まれた領域に流れ込み、仕切部材５０にて下方に案内される。  
流入された水は第２蓄熱水槽３０内の水より温度が低いので、第２蓄熱水槽３０の下側に溜まり、仕切壁部５１及び仕切側部５２の下から仕切部材５０に囲まれた領域を出て第１上部孔３４ｂ側に移動する。このとき、冷やされた水は第２蓄熱水槽３０の下側に留まりつつも後から流入された水に押し上げられて、第２蓄熱水槽３０内に蓄えられていた水を第１上部孔３４ｂから押し出して、第２蓄熱水槽３０内を満たしていく。
【００４６】
このように、第２蓄熱水槽３０内では、第２蓄熱水槽３０内に蓄えられていた水が先に第２蓄熱水槽３０から流出され、内部は冷やされた水により満たされていくため、冷やされた水と第２蓄熱水槽３０内に蓄えられていた水とが混合され難い。このため、第２蓄熱水槽３０では冷やされた水の温度上昇を抑えつつ第２蓄熱水槽３０内が冷やされた水で満たされる。すなわち、第２蓄熱水槽３０に蓄えられていた水と、外気により冷やされた水とが入れ替えられる。第２蓄熱水槽３０内が冷やされた水で満たされると、冷やされた水にて満たされた第２蓄熱水槽３０内では、熱の移動が小さいので、その後流入される冷やされた水は冷やされた状態がほぼ保たれ、効率良く冷やされた水を蓄えることができる。
【００４７】
そして、昼間気温が上昇して空調装置が稼働されると、夜間に連設蓄熱水槽１内に蓄えられた冷やされた水を、連設蓄熱水槽１内を左から右に向かって水が流れるように循環させる。このとき、冷房が稼働されて、第２蓄熱水槽３０の第２上部孔３４ａから連設蓄熱水槽１内に蓄えられていた冷やされた水が流出される際には、ビル内にて外気に暖められた水が第１下部孔２４ａから第１蓄熱水槽２０内に流入される。
【００４８】
暖められた水が、第１蓄熱水槽２０の第１下部孔２４ａから第１蓄熱水槽２０内に流入されると、流入した水は仕切部材５０に囲まれた領域に流れ込み、仕切部材５０にて上方に案内される。流入した水は第１蓄熱水槽２０内の水より温度が高いので、第１蓄熱水槽２０の上側に溜まり、仕切壁部５１及び仕切側部５２の上から仕切部材５０に囲まれた領域を出て第２下部孔２４ｂ側に移動する。このとき、暖められた水は第１蓄熱水槽２０の上側に留まりつつも後から流入された暖められた水に押し下げられて、第１蓄熱水槽２０内に蓄えられていた水を第２下部孔２４ｂから押し出して、第１蓄熱水槽２０内を満たしていく。
【００４９】
このように、第１蓄熱水槽２０内では、第１蓄熱水槽２０内に蓄えられていた水が先に第１蓄熱水槽２０から流出され、内部は暖められた水により満たされていくため、暖められた水と第１蓄熱水槽２０内に蓄えられていた水とが混合され難い。このため、第１蓄熱水槽２０では第１蓄熱水槽２０内に蓄えられていた水の温度上昇を抑えつつ第１蓄熱水槽２０内が暖められた水で満たされる。
【００５０】
このような、蓄熱水槽１０内にてメンテナンス等の作業をする際には、まず蓄熱水槽１０内の水を排出し内部を空にする。そして、たとえば、第１蓄熱水槽２０内で作業をする場合には、作業者は第１蓄熱水槽２０の第１下部孔２４ａまたは第２下部孔２４ｂから第１蓄熱水槽２０に進入する。ここでは、第１下部孔２４ａから第１蓄熱水槽２０内に進入したとする。
【００５１】
作業者が第１下部孔２４ａから進入すると、作業者は仕切部材５０に囲まれた領域に至る。第１蓄熱水槽２０の仕切部材５０は、仕切壁部５１として３枚のパネル体５１ａがフレーム５３の下端から並べて、ボルト５５にて取り付けられている。このため、ボルト５５が第１下部孔２４ａ側から取り外し可能であれば、そのまま最下段のパネル体５１ａを固定しているボルト５５を外す。最下段のパネル体５１ａを外した状態で作業者が第２下部孔２４ｂ側に移動できれば、第２下部孔２４ｂ側に移動して作業を完了させる。このとき、最下段のパネル体５１ａを外した状態でも作業者が第２下部孔２４ｂ側に移動できなければ、下から２段目のパネル体５１ａも外して作業を進める。
【００５２】
また、パネル体５１ａを固定しているボルト５５が第２下部孔２４ｂ側から取り外し可能であれば、脚立等に登り仕切壁部５１の上から第２下部孔２４ｂ側の領域に手を伸ばし、第２下部孔２４ｂ側からボルト５５外し、最上段のパネル体５１ａから順次３枚のパネル体５１ａを外して、第２下部孔２４ｂ側に移動して作業を完了させる。
【００５３】
第１蓄熱水槽２０内での作業が終了した場合には、取り外したパネル体５１ａを元の状態に取り付けて、第１下部孔２４ａまたは第２下部孔２４ｂから第１蓄熱水槽２０外に出る。
【００５４】
このとき、隣接して設けられている蓄熱水槽１０においても、同様に作業を行う場合には、取り外したパネル体５１ａを元の状態に取り付けた後に、隣接する蓄熱水槽１０の第１下部孔２４ａと連結された第２下部孔２４ｂを通って、隣接する蓄熱水槽１０内に進入する。以降の手順は、前述した通りである。
【００５５】
本実施形態の蓄熱水槽１０によれば、蓄熱水槽１０内を第１下部孔２４ａ側(第２上部孔３４ａ側)と第２下部孔２４ｂ側（第１上部孔３４ｂ側）とに仕切る仕切部材５０が、第１下部孔２４ａ(第２上部孔３４ａ側)及び第２下部孔２４ｂ（第１上部孔３４ｂ側）から進入した作業者により着脱自在に設けられているので、作業者は第１下部孔２４ａ(第２上部孔３４ａ)又は第２下部孔２４ｂ（第１上部孔３４ｂ）のいずれから水槽本体１１内に進入しても、仕切部材５０の仕切壁部５１を構成するパネル体５１ａを外すことにより、進入した側と反対側に移動することが可能である。このため、蓄熱水槽１０内に進入した後には、蓄熱水槽１０の全域における作業を一挙に行うことを可能とする、作業性に優れた蓄熱水槽１０を提供することが可能である。
【００５６】
また、仕切部材５０が複数に分割されたパネル体５１ａと、パネル体５１ａが各々取り外し可能に取り付けられるフレーム５３とで構成されているので、３枚のパネル体５１ａが一体となった仕切壁部５１の場合より、パネル体５１ａの取り外しが容易である。このため、より作業性に優れた蓄熱水槽１０を提供することが可能である。
【００５７】
また、水槽本体１１内を第１下部孔２４ａ側(第２上部孔３４ａ側)と第２下部孔２４ｂ側（第１上部孔３４ｂ側）とを仕切るパネル体５１ａの上方（下方）が第１下部孔２４ａ側(第２上部孔３４ａ側)と第２下部孔２４ｂ側（第１上部孔３４ｂ側）とに繋がった領域を有しているので、パネル体５１ａがフレーム５３に対して第１下部孔２４ａ側(第２上部孔３４ａ側)と第２下部孔２４ｂ側（第１上部孔３４ｂ側）のいずれの側から取り付けられていても、第１下部孔２４ａ側(第２上部孔３４ａ側)と第２下部孔２４ｂ側（第１上部孔３４ｂ側）に繋がった領域から作業者が手を伸ばしてパネル体を５１ａ取り外すことが可能である。
【００５８】
また、上記蓄熱水槽１０が、複数連結されて、各々の蓄熱水槽１０内が連通されている連設蓄熱水槽１によれば、作業者は、連接された複数の蓄熱水槽１０の端に位置する蓄熱水槽１０から当該蓄熱水槽１０内に進入して作業を行い、作業が終了した後に隣接する蓄熱水槽１０内に、連結されている第１下部孔２４ａ(第２上部孔３４ａ側)及び第２下部孔２４ｂ（第１上部孔３４ｂ側）を介して進入して、順次蓄熱水槽１０を移動しつつ作業を継続することが可能である。このため、効率良く作業を進めることが可能な、より作業性に優れた連設蓄熱水槽１を実現することが可能である。
【００５９】
＜その他の実施形態＞
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【００６０】
上記実施形態においては、仕切部材５０を蓋部材１８に備えた例について説明したが、蓄熱水槽１０の底や短辺壁部に設けたフレームに仕切壁部及び仕切側部を取り付けた構成であっても構わない。
【００６１】
また、上記実施形態においては、仕切壁部５１と、仕切側部５２とが複数のパネル体５１ａ、５２ａにて構成されている例について説明したが、これに限らず、仕切壁部５１と、仕切側部５２とは、各々１枚の板状の部材であっても構わない。
【００６２】
また、連設蓄熱水槽内を循環する液体を水としたが、不凍液等、その他の液体であっても構わない。
【００６３】
また、上記実施形態においては、蓄熱水槽１０に流入される水を外気により冷却する例について説明したが、ヒートポンプやその他の冷却又は加熱装置等を用いて冷却又は加熱した水を蓄熱水槽に蓄える構成であっても構わない。
【符号の説明】
【００６４】
１  連設蓄熱水槽、１０  蓄熱水槽、１１  水槽本体、
１８  蓋部材、１８ａ  蓋部材の下面、２０  第１蓄熱水槽、
２０ａ  収容部、２１  第１蓄熱水槽の底、２２  側壁、
２２  短辺側壁、２２ａ  一方の短辺側壁、２２ｂ  他方の短辺側壁、
２３  長辺側壁、２４  孔部、２４ａ  第１下部孔、２４ｂ  第２下部孔、
２５  排水孔、３０  第２蓄熱水槽、３０ａ  収容部、
３１  第２蓄熱水槽の底、３２  側壁、３２  短辺側壁、
３２ａ  一方の短辺側壁、３２ｂ  他方の短辺側壁、
３３  側壁、３３  長辺側壁、３４  孔部、３４ａ  第２上部孔、
３４ｂ  第１上部孔、３５  排水孔、４０  中継用蓄熱水槽、
４０ａ  収容部、４１  中継用蓄熱水槽の底、４２  側壁、
４２  短辺側壁、４３  長辺側壁、４４  孔部、４５  排水孔、
５０  仕切部材、５１  仕切壁部、５１ａ  パネル体、
５２  仕切側部、５２ａ  パネル体、５３  フレーム、
５３ａ  柱部材、５３ｂ  横材、５３ｃ  座板、
５３ｄ  孔部、５３ｅ  固定孔、５５  ボルト
【図１】
0005573085.tif 000002
【図２】
0005573085.tif 000003
【図３】
0005573085.tif 000004
【図４】
0005573085.tif 000005
【図５】
0005573085.tif 000006
【図６】
0005573085.tif 000007
【図７】
0005573085.tif 000008